(57)【要約】【課題】  物品の温度変化を抑え易く且つ収納空間を有効利用できる物品収納棚を提供する。【解決手段】  物品用支持部材９に支持された状態で物品Ｗが収納される複数の収納空間１ａ夫々の前方を開放する状態で、収納空間１ａ夫々の左右の横側方、収納空間夫々の上方、収納空間１ａ夫々の下方、並びに、収納空間１ａ夫々の後方を断熱状態に遮蔽する断熱体１０と、収納空間１ａ夫々の前方を遮蔽する開閉自在な遮蔽体１１とを備え、断熱体１０における収納空間１ａ夫々の左右の横側方を断熱状態に遮蔽する横側断熱部１０ａを、前支柱７ａと後支柱７ｂとの間に入り込んで位置する状態に設ける。【選択図】        図４
2006103899.tif 000002
【特許請求の範囲】
【請求項１】
前後方向に並べられた前支柱と後支柱との支柱組の複数が横幅方向に並設され、横幅方向に並ぶ前記支柱組の間に位置させて物品を支持する物品用支持部材が、前記支柱組に上下方向に間隔を隔てて複数支持されている物品収納棚であって、
前記物品用支持部材に支持された状態で物品が収納される複数の収納空間夫々の前方を開放する状態で、前記収納空間夫々の左右の横側方、前記収納空間夫々の上方、前記収納空間夫々の下方、並びに、前記収納空間夫々の後方を断熱状態に遮蔽する断熱体と、
前記収納空間夫々の前方を遮蔽する開閉自在な遮蔽体とを備え、
前記断熱体における前記収納空間夫々の左右の横側方を断熱状態に遮蔽する横側断熱部が、前記前支柱と前記後支柱との間に入り込んで位置する状態に設けられている物品収納棚。
【請求項２】
前記横側断熱部の前端部が前記前支柱に連結支持され、前記横側断熱部の後端部が前記後支柱に連結支持されている請求項１記載の物品収納棚。
【請求項３】
前記前支柱の後部と前記後支柱の前部との夫々に長手方向に沿う溝部が形成され、前記横側断熱部の前端部が前記前支柱の前記溝部に挿入した状態で前記前支柱に連結支持され、前記横側断熱部の後端部が前記後支柱の前記溝部に挿入した状態で前記後支柱に連結支持されている請求項２記載の物品収納棚。
【請求項４】
前記横側断熱部が、２枚の板状の補強部材の間に断熱部材を位置させる形態で構成されている請求項１〜３のいずれか１項に記載の物品収納棚。
【請求項５】
前記断熱体が、前記横側断熱部と、前記収納空間夫々に対して各別に設けられて、前記収納空間の上方、下方、及び、後方を断熱状態に遮断する側面視コ字状の断熱構成体とから構成されている請求項１〜４のいずれか１項に記載の物品収納棚。
【請求項６】
前記断熱構成体が、前記支柱組に連結支持された構成体用支持部材に載置支持されている請求項５記載の物品収納棚。
【請求項７】
上下方向に並ぶ複数の前記収納空間における上方に位置する前記収納空間の横側方を断熱状態に遮蔽する横側断熱部と下方に位置する前記収納空間の横側方を断熱状態に遮蔽する横側断熱部とが一連に構成されている請求項１〜６のいずれか１項に記載の物品収納棚。
【請求項８】
前記支柱組が、３組以上設けられ、前記断熱体が、横幅方向に隣接する前記収納空間の間に１つの前記横側断熱部を位置させる状態に構成されている請求項１〜７のいずれか１項に記載の物品収納棚。
【発明の詳細な説明】
【技術分野】
【０００１】
本発明は、前後方向に並べられた前支柱と後支柱との支柱組の複数が横幅方向に並設され、横幅方向に並ぶ前記支柱組の間に位置させて物品を支持する物品用支持部材が、前記支柱組に上下方向に間隔を隔てて複数支持されている物品収納棚に関する。
【背景技術】
【０００２】
かかる物品収納棚において、従来では、物品用支持部材に支持された状態で物品を収納する複数の収納空間を横幅方向に並設される支柱組の間に形成し、物品収納棚の一部である複数の収納空間を備える断熱棚部分を、前方が開放される状態に、断熱棚部分の左右の横側方、断熱棚部分の上方、断熱棚部分の下方、並びに、断熱棚部分の後方を断熱状態に遮蔽する断熱体と、断熱棚部分の前方を収納空間に対応して個別に遮蔽する開閉自在な遮蔽体とを備え、断熱体と遮蔽体とによって断熱棚部分を密閉状態に覆うことにより断熱棚部分における収納空間の温度変化を抑えて、収納空間に収納する物品の温度上昇や低下を抑えるように構成されているものがあった（例えば、特許文献１参照。）。
【０００３】
【特許文献１】実開平１−１６２４０５号公報
【発明の開示】
【発明が解決しようとする課題】
【０００４】
しかし、上記従来の構成では、断熱棚部分の全体を断熱体と遮蔽体で遮蔽する構成であり、複数備えられた収納空間どうしが互いに通じる状態であるために、物品の出し入れの為に遮蔽体が開けられると、遮蔽体が開けられた収納空間に流入した外気が隣接する収納空間にも流入してしまい他の収納空間の温度も変化してしまうので、収納空間に収納する物品の温度変化を抑え難いものであった。
そこで、前方が開放される形状の断熱箱体と、この断熱箱体の前方を遮蔽する開閉自在な遮蔽体とを収納空間に備え、断熱箱体の内部空間に物品を収納する構成として、物品の出し入れの為に遮蔽体が開けられたとしても、隣接する収納空間への外気の流入を断熱箱体にて防ぐことにより、他の収納空間に収納する物品の温度変化を抑える構成が考えられる。しかし、このような構成では、収納空間に断熱箱体が設けられるために物品の収納は収納空間に設けた収納空間より狭い断熱箱体の内部空間に限られるものであり、収納空間の大きさのわりには大きな物品を収納することができない不都合がある。
【０００５】
本発明は、上記実状に鑑みて為されたものであって、その目的は、物品の温度変化を抑え易く且つ収納空間を有効利用できる物品収納棚を提供する点にある。
【課題を解決するための手段】
【０００６】
この目的を達成するために、本発明にかかる物品収納棚の第１特徴構成は、前後方向に並べられた前支柱と後支柱との支柱組の複数が横幅方向に並設され、横幅方向に並ぶ前記支柱組の間に位置させて物品を支持する物品用支持部材が、前記支柱組に上下方向に間隔を隔てて複数支持されている物品収納棚において、
前記物品用支持部材に支持された状態で物品が収納される複数の収納空間夫々の前方を開放する状態で、前記収納空間夫々の左右の横側方、前記収納空間夫々の上方、前記収納空間夫々の下方、並びに、前記収納空間夫々の後方を断熱状態に遮蔽する断熱体と、前記収納空間夫々の前方を遮蔽する開閉自在な遮蔽体とを備え、前記断熱体における前記収納空間夫々の左右の横側方を断熱状態に遮蔽する横側断熱部が、前記前支柱と前記後支柱との間に入り込んで位置する状態に設けられている点にある。
【０００７】
すなわち、断熱体により、収納空間夫々の左右の横側方、上方、下方、並びに、後方が断熱状態に遮蔽されているので、物品の出し入れの為に遮蔽体が開けられたとしても、隣接する収納空間に外気が流入することを断熱体にて防ぐことにより、他の収納空間の温度の変化を抑えて収納空間の温度を保ち易い構成とすることができる。
そして、横側断熱部を前支柱と後支柱との間に入り込んで位置する状態に設けることにより、その横側断熱部を、収納空間に位置させない或いは横側断熱部の一部だけ収納空間に位置させるように前支柱と後支柱との間に形成される空間を利用して設けることができ、横幅方向に並ぶ支柱組の間に形成される収納空間、特に、収納空間の横幅の全幅或いは略全幅を用いて物品を断熱状態に収納することができ、もって、物品の温度変化を抑え易く且つ収納空間を有効利用できる物品収納棚を提供することができるに至った。
【０００８】
本発明にかかる第２特徴構成は、第１特徴構成において、前記横側断熱部の前端部が前記前支柱に連結支持され、前記横側断熱部の後端部が前記後支柱に連結支持されている点にある。
【０００９】
すなわち、前支柱と後支柱との間に形成される空間には物品収納棚の強度を確保するために前支柱と後支柱とを連結するラチス等の連結材が設けられているが、十分な強度を持たせた横側断熱部にて前支柱と後支柱とを連結することにより、横側断熱材を連結材に兼ねさせることができて連結材が必要なくなるので、連結材に邪魔されることなく横側断熱部を設けることができ、横側断熱部を前支柱と後支柱との間にさらに入り込んで位置させることができる。
【００１０】
本発明にかかる第３特徴構成は、第２特徴構成において、前記前支柱の後部と前記後支柱の前部との夫々に長手方向に沿う溝部が形成され、前記横側断熱部の前端部が前記前支柱の前記溝部に挿入した状態で前記前支柱に連結支持され、前記横側断熱部の後端部が前記後支柱の前記溝部に挿入した状態で前記後支柱に連結支持されている点にある。
【００１１】
すなわち、前端部を前支柱の後部の溝部に挿入し、後端部を後支柱の前部の溝部に挿入して、横側断熱部の横幅方向への移動や前後方向への移動を規制した状態で前支柱や後支柱への連結作業を行なうことができるので、横側断熱部の連結作業を容易に行うことができる。
【００１２】
本発明にかかる第４特徴構成は、第１〜第３特徴構成のいずれか１つにおいて、前記横側断熱部が、２枚の板状の補強部材の間に断熱部材を位置させる形態で構成されている点にある。
【００１３】
すなわち、横側断熱部を、２枚の板状の補強部材と、その間に位置する断熱部材とで構成することにより、強度の高い横側断熱部を構成することができ、横側断熱部にラチス等の連結材を兼ねることができる程度の十分な強度を横側断熱部に持たせ易い。
【００１４】
本発明にかかる第５特徴構成は、第１〜第４特徴構成のいずれか１つにおいて、前記断熱体が、前記横側断熱部と、前記収納空間夫々に対して各別に設けられて、前記収納空間の上方、下方、及び、後方を断熱状態に遮断する側面視コ字状の断熱構成体とから構成されている点にある。
【００１５】
すなわち、断熱体を、横側断熱部と断熱構成体とで構成することにより、断熱体の物品収納棚への組み付けは、これら横側断熱部と断熱構成体とを組み付ければよく、断熱体の物品収納体への組み付けを容易に行える。
【００１６】
本発明にかかる第６特徴構成は、第５特徴構成において、前記断熱構成体が、前記支柱組に連結支持された構成体用支持部材に載置支持されている点にある。
【００１７】
すなわち、断熱構成体を構成体用支持部材に載置支持させることにより断熱構成体を安定良く支持することができ、また、断熱構成体を他の部材と連結する場合でも、断熱構成体を構成体用支持部材に載置支持させた安定した状態で連結作業を行なうことができるので、連結作業の途中に断熱構成体がずれる可能性が少なく、断熱体の支柱への組み付けをより容易に行える。
【００１８】
本発明にかかる第７特徴構成は、第１〜第６特徴構成のいずれか１つにおいて、上下方向に並ぶ複数の前記収納空間における上方に位置する前記収納空間の横側方を断熱状態に遮蔽する横側断熱部と下方に位置する前記収納空間の横側方を断熱状態に遮蔽する横側断熱部とが一連に構成されている点にある。
【００１９】
すなわち、上下方向に並ぶ複数の横側断熱部を個別に取り付ける必要がないので、断熱体の支柱への組み付けを容易に行える。
【００２０】
本発明にかかる第８特徴構成は、第１〜第７特徴構成のいずれか１つにおいて、前記支柱組が、３組以上設けられ、前記断熱体が、横幅方向に隣接する前記収納空間の間に１つの前記横側断熱部を位置させる状態に構成されている点にある。
【００２１】
すなわち、横幅方向に隣接する前記収納空間の間に１つの前記横側断熱部を位置させて、隣接する収納空間で１つの横側断熱部を共用することにより、横側断熱部を収納空間に位置させないように前支柱と後支柱との間に設け易く、また、隣接する２つの収納空間に対して１つの横側断熱部を取り付けるだけでよいので、物品収納棚への組み付けを容易に行うことができる。
【発明を実施するための最良の形態】
【００２２】
以下、本発明にかかる物品収納棚を自動倉庫に適応した例を図面に基づいて説明する。
図１、図２に示すように、物品を収納する収納空間１ａ（図３参照）を複数備えた物品収納棚１と、その物品収納棚１の間口に沿って走行するスタッカークレーン２とを備えて自動倉庫が構成されている。そして、スタッカークレーン２には、図２に示すように、前記物品収納棚１の間口に沿って走行自在な走行台車３と、前記収納空間１ａとの間で物品Ｗを移載可能なフォーク装置４を備えた昇降自在な昇降台５とを備えて構成されている。
【００２３】
図３、図４に示すように、前記物品収納棚１には、前記物品用支持部材９に支持された状態で物品Ｗが収納される複数の収納空間が、上下方向及び横幅方向に複数並設する状態で備えられている。
つまり、前後方向に並べられた前支柱７ａと後支柱７ｂとの支柱組の複数が横幅方向に並設されており、支柱組が横幅方向に３組以上並設されることにより、この横幅方向に並設される支柱組どうしの間に形成される収納空間１ａが横幅方向に複数並ぶ状態に備えられている。また、横幅方向に並ぶ支柱組の間に位置させて物品Ｗを支持する物品用支持部材９が、前記支柱組の横幅方向の両側夫々に上下方向に間隔を隔てて２つ支持されており、物品用支持部材９の上方に形成される前記収納空間１ａが上下方向に２つ並ぶ状態に備えられている。
【００２４】
図４に示すように、物品用支持部材９が、物品用支持部材用の連結部材９ａを介して前支柱７ａと後支柱７ｂとに亘って架設された状態に連結支持されている。そして、物品用支持部材９は、収納空間１ａの夫々に対してフォーク装置４が上下方向に通過可能なように横幅方向に間隔を隔てる状態に一対設けられており、この一対の物品用支持部材９にて物品Ｗを載置支持するように構成されている。
尚、物品Ｗは、フォーク装置４や物品用支持部材９に載置支持される板状の支持部と、この支持部の上部に支持部と一体形成されたスープ等の食品を入れる鍋状の容器部とで構成されており、支持部と容器部とはともにステンレス材にて構成されている。
【００２５】
そして、図４、図５に示すように、物品収納棚１には、前記物品用支持部材９に支持された状態で物品Ｗが収納される複数の収納空間１ａ夫々の前方を開放する状態で、前記収納空間１ａ夫々の左右の横側方、前記収納空間１ａ夫々の上方、前記収納空間１ａ夫々の下方、並びに、前記収納空間１ａ夫々の後方を断熱状態に遮蔽する断熱体１０と、前記収納空間１ａ夫々の前方を遮蔽する開閉自在な遮蔽体としてのシャッター装置１１とが備えられている。
つまり、図５に示すように、収納空間１ａに物品Ｗを収納した状態では、シャッター装置１１を収納空間１ａの前方を遮蔽する閉じ状態に切り換えて密閉状態とし、収納空間１ａに対して物品Ｗを出し入れする場合では、シャッター装置１１を収納空間１ａの前方を開放する開き状態として、前記フォーク装置４にて前方から物品Ｗを出し入れするように構成されている。
【００２６】
図３、図５に示すように、断熱体１０にて覆われる断熱体１０の内部空間に前記物品用支持部材９が設けられており、断熱体１０の内部空間における物品用支持部材９より上方に前記収納空間１ａが形成され、断熱体１０の内部空間における物品用支持部材９より下方に、前記フォーク装置４が前後方向に出退可能なフォーク用空間１ｂが形成されている。
【００２７】
次に、断熱体１０について説明を加える。図５〜図７に示すように、断熱体１０は、収納空間１ａ夫々の左右の横側方を断熱状態に遮蔽する横側断熱部１０ａと、前記収納空間１ａ夫々に対して各別に設けられて、前記収納空間１ａの上方、下方、及び、後方を断熱状態に遮断する側面視コ字状の断熱構成体Ｂとから構成されている。
つまり、断熱体１０には、横側断熱部１０ａの他に、収納空間１ａ夫々の上方を断熱状態に遮蔽する板状の上側断熱部１０ｂと、収納空間１ａ夫々の下方を断熱状態に遮蔽する板状の下側断熱部１０ｃと、収納空間１ａ夫々の後方を断熱状態に遮蔽する板状の後側断熱部１０ｄとが備えられており、これら上側断熱部１０ｂと下側断熱部１０ｃと後側断熱部１０ｄとを一体形成して断熱構成体Ｂが構成されている。そして、この断熱構成体Ｂは、隣接する支柱組の間に位置するように上下方向に間隔を隔てて２つ設けられて、収納空間１ａ夫々に対して各別に設けられている。
【００２８】
図４、図６に示すように、上側断熱部１０ｂ並びに下側断熱部１０ｃ夫々の四隅部分は、前支柱７ａや後支柱７ｂ、横側断熱部１０ａに沿う形状に形成されている。また、後側断熱部１０ｄは、横幅方向に隣接する一対の後支柱７ｂの間に入り込んで位置する状態に設けられている。
そして、前記断熱体１０は、横幅方向に隣接する前記収納空間１ａの間に１つの前記横側断熱部１０ａを位置させる状態に構成されており、隣接する収納空間１ａで１つの横側断熱部１０ａが共用されている。
【００２９】
前記断熱構成体Ｂは、前記支柱組に連結支持された構成体用支持部材１２に載置支持されている。つまり、断熱構成体Ｂを載置支持する構成体用支持部材１２は、構成体用支持部材用の連結部材１２ａを介して前支柱７ａと後支柱７ｂとに亘って架設された状態に連結支持されている。そして、物品用支持部材９は、断熱構成体Ｂ夫々に対して横幅方向に間隔を隔てる状態に一対設けられており、この一対の構成体用支持部材１２にて断熱構成体Ｂを載置支持するように構成されている。
尚、断熱構成体Ｂは、横側断熱部１０ａとＬ字金具等の連結用部材を用いて互いに連結されている。
【００３０】
次に、横側断熱部１０ａについて補足説明する。
前記横側断熱部１０ａは、前記前支柱７ａと前記後支柱７ｂとの間に入り込んで位置する状態に設けられ、前記横側断熱部１０ａの前端部が前記前支柱７ａに連結支持され、前記横側断熱部１０ａの後端部が前記後支柱７ｂに連結支持されている。
具体的に説明すると、前支柱７ａと後支柱７ｂとの夫々は、一枚の板材を屈曲させて支柱状に形成し、前支柱７ａの後部及び後支柱７ｂの前部には板材の端部を前後方向に起立され、この立設する立設部分の間に溝部１４が形成されている。そして、横側断熱部１０ａの前端部を前記前支柱７ａの後部に形成される溝部１４に挿入した状態で立設部分にボルトナット等の連結用部材にて連結し、横側断熱部１０ａの後端部を前記後支柱７ｂの前部に形成される溝部１４に挿入した状態で立設部分にボルトナット等の連結用部材にて連結されている。
要するに、前記前支柱７ａの後部と前記後支柱７ｂの前部との夫々に長手方向に沿う溝部１４が形成され、前記横側断熱部１０ａの前端部が前記前支柱７ａの前記溝部１４に挿入した状態で前記前支柱７ａに連結支持され、前記横側断熱部１０ａの後端部が前記後支柱７ｂの前記溝部１４に挿入した状態で前記後支柱７ｂに連結支持されている。
【００３１】
そして、前記横側断熱部１０ａは、２枚の板状の補強部材１６の間に断熱部材１７を位置させる形態で構成されている。つまり、２枚の板状の補強部材１６を設けて十分な強度を有する横側断熱部１０ａにて前支柱７ａと後支柱７ｂとを連結することにより、横側断熱部１０ａを前支柱７ａと後支柱７ｂとを連結する連結材として兼ねることができ、前支柱７ａと後支柱７ｂとの間にラチス等の連結材を設ける必要がなく構成の簡素化を図ることができる。
尚、断熱構成体Ｂについては、横側断熱部１０ａのような補強構造には構成されておらず、単に断熱部材にて構成されており、横幅方向に隣接する後支柱７ｂどうしは互いに連結フレーム等の連結材（図示せず）にて連結されて補強されている。
【００３２】
図２、図６に示すように、上下方向に並ぶ複数の前記収納空間１ａにおける上方に位置する前記収納空間１ａの横側方を断熱状態に遮蔽する横側断熱部１０ａと下方に位置する前記収納空間１ａの横側方を断熱状態に遮蔽する横側断熱部１０ａとが一連に構成されている。つまり、上下方向に並ぶ２つの収納空間１ａにおける上側の収納空間１ａを横側方から遮蔽する上側の横側断熱部１０ａと、下側の収納空間１ａを横側方から遮蔽する下側の横側断熱部１０ａとが一連に構成されており、この上側の横側断熱部１０ａと下側の横側断熱部１０ａとで前記横側断熱体Ａが構成されている。
【００３３】
従って、横幅方向に隣接する２組の支柱組の間に形成される上下一対の収納空間１ａに対して、２つの横側断熱体Ａと２つの断熱構成体Ｂとが設けられており、１つの収納空間１ａは、２つの横側断熱体Ａ夫々の上側或いは下側の横側断熱部１０ａと１つの断熱構成体Ｂとで断熱状態に遮蔽されている。尚、横側断熱体Ａは、横幅方向に隣接する収納空間１ａと共用されている。
【００３４】
図５に示すように、前記シャッター装置１１は、詳細な説明は省略するが、ステンレス製のシャッターが左右両側の横側断熱部１０ａに設けられたレール（図示せず）に沿って収納空間１ａの前方位置と収納空間１ａの上方位置とにスライド移動可能な、いわゆる、オーバースライド式のシャッター装置１１に構成されており、シャッターが収納空間１ａの前方位置に位置することにより前記閉じ状態となり、収納空間１ａの上方位置に位置することにより前記開き状態となるように構成されている。
そして、後側断熱部１０ｄには、収納空間１ａの内部温度が設定温度以下にならないように収納空間１ａの内部温度を調節可能なヒーティング装置１５が設けられている。
【００３５】
〔別実施の形態〕
（１）  上記実施の形態では、横側断熱部１０ａの前端部並びに後端部を、前支柱７ａや後支柱７ｂの溝部１４に挿入した状態で前支柱７ａや後支柱７ｂに連結支持するように構成したが、前支柱７ａや後支柱７ｂに溝部１４を形成せずに、横側断熱部１０ａの前端部を前支柱７ａの後面に当て付けた状態で前支柱７ａに連結支持する構成や、横側断熱部１０ａの後端部を後支柱７ｂの前面に当て付けた状態で後支柱７ｂに連結支持する構成でもよい。
また、上記実施の形態では、横側断熱部１０ａの前端部並びに後端部を、前支柱７ａや後支柱７ｂに連結支持するように構成したが、横側断熱部１０ａを断熱構成体Ｂに連結支持するように構成してもよい。
【００３６】
（２）  上記実施の形態では、横側断熱部１０ａを２枚の板状の補強部材１６の間に断熱部材１７を位置させる形態で構成して横側断熱部に十分な強度を備えさせて、前支柱７ａと後支柱７ｂとを連結する連結材を兼ねるように構成したが、このような補強構造の横側断熱部１０ａとラチス等の連結材との両方を設けてもよく、断熱部材１７で構成される横側断熱部１０ａとラチス等の連結材とを設けてもよい。
また、後側断熱部１０ｄを、横側断熱部１０ａのような補強構造に構成し、且つ、断熱構成体Ｂの左右両端部の夫々を後支柱７ｂに連結支持して、後支柱７ｂどうしを連結する連結材を兼ねるように構成してもよい。
【００３７】
（３）  上記実施の形態では、上側断熱部１０ｂと下側断熱部１０ｃと後側断熱部１０ｄとを一体形成して断熱構成体Ｂを構成したが、上側断熱部１０ｂと下側断熱部１０ｃと後側断熱部１０ｄとを夫々に別体に構成する構成、或いは、いずれかの断熱部だけを別体にする構成でもよい。
また、上記実施の形態では、断熱構成体Ｂを側面視コ字状に形成したが、断熱構成体Ｂの側面視形状はコ字状に限るものではなく、収納空間１ａの上方、下方、及び、後方を断熱状態に遮断できる形状であればよい。
また、断熱構成体Ｂを、側面視コ字状に構成して１つの収納空間１ａにおける上側断熱部１０ｂと下側断熱部１０ｃと後側断熱部１０ｄとを形成するように構成したが、上下方向に並ぶ２つ以上の収納空間１ａにおける上側断熱部１０ｂと下側断熱部１０ｃと後側断熱部１０ｄとを形成するように構成してもよい。つまり、例えば、断熱構成体Ｂを側面視Ｅ字状に形成して、２つの収納空間１ａにおける上側断熱部１０ｂと下側断熱部１０ｃと後側断熱部１０ｄとを形成するように構成し、上下方向に隣接する収納空間１ａの間の断熱部を上側の収納空間１ａと下側の収納空間１ａとで共用するように構成してもよい。
【００３８】
（４）  上記実施の形態では、断熱構成体Ｂを構成体用支持部材１２に載置支持するように構成したが、断熱構成体Ｂを横側方に位置する前支柱７ａや後支柱７ｂ、横側断熱部１０ａに連結支持するように構成してもよい。
また、上記実施の形態では、物品用支持部材９を支柱組に連結支持させたが、物品用支持部材９を断熱体１０の横側断熱部１０ａに連結支持するように構成してもよい。
【００３９】
（５）  上記実施の形態では、上側の横側断熱部１０ａと下側の横側断熱部１０ａとを一連に構成したが、上側の横側断熱部１０ａと下側の横側断熱部１０ａとを別体に構成して上下方向に間隔を隔てる状態に設けてもよい。
【００４０】
（６）  上記従来の構成では、横幅方向に隣接する収納空間１ａの間に１つの横側断熱部１０ａを位置させる状態に備えて、１つの横側断熱部１０ａを横幅方向に隣接する２つの収納空間１ａで共用したが、横幅方向に隣接する収納空間１ａの間に横側断熱部１０ａを横幅方向に並ぶ状態に２つ設けて、横幅方向に隣接する収納空間１ａの夫々に対応するように横側断熱部１０ａを設けてもよい。
【００４１】
（７）  上記実施の形態では、支柱組を３組以上設けて、収納空間１ａを横幅方向に複数並ぶ状態に備えるように構成したが、支柱組を２組設けて、収納空間１ａを横幅方向に１つだけ備えるように構成してもよい。
【図面の簡単な説明】
【００４２】
【図１】自動倉庫の平面図
【図２】自動倉庫の側面図
【図３】物品収納棚の正面図
【図４】物品収納棚の断面平面図
【図５】物品収納棚の断面側面図
【図６】物品収納棚の斜視図
【図７】物品収納棚の斜視図
【符号の説明】
【００４３】
１    物品収納棚
１ａ  収納空間
７ａ  前支柱
７ｂ  後支柱
９    物品用支持部材
１０    断熱体
１０ａ  横側断熱部
１１    遮蔽体
１２    構成体用支持部材
１４    溝部
１６    補強部材
１７    断熱部材
Ｂ    断熱構成体
Ｗ    物品
【図１】
2006103899.tif 000003
【図２】
2006103899.tif 000004
【図３】
2006103899.tif 000005
【図４】
2006103899.tif 000006
【図５】
2006103899.tif 000007
【図６】
2006103899.tif 000008
【図７】
2006103899.tif 000009